(57)【要約】【課題】ステータコアの内周（ロータの外周面に対向するティースの突端面）とロータの外周面との間の間隔の均一性を向上する。【解決手段】モータハウジング１６の内周面１６０には複数の支持突部３２，３３，３４，３５が一体形成されている。支持突部３２，３３，３４は、環状のステータコア２９の外周面２９１に当接されている。ステータコア２９は、焼き嵌めによってモータハウジング１６内に嵌合して固定されている。ステータコア２９の焼き嵌め前の形状は、焼き嵌め後のステータコア２９の内周形状を真円形状に近づけるように、焼き嵌めによるステータコア２９の変形分相当を真円形状に加味した形状である。【選択図】図２
2007244150.tif 000002
【特許請求の範囲】
【請求項１】
環状のステータコアが環状のハウジング内に焼き嵌めて収容されており、前記ハウジングの内周の全周の一部と前記ステータコアの外周の全周の一部とを当接させることによって前記ステータコアが前記ハウジングに支持されている電動モータにおいて、
前記環状のステータコアの焼き嵌め前の形状は、前記ステータコアの内周形状が焼き嵌めによる変形によって焼き嵌め後に真円形状に近づく形状である電動モータ。
【請求項２】
前記環状のステータコアの焼き嵌め前の形状は、焼き嵌め後の前記ステータコアの内周形状を真円形状に近づけるように、前記焼き嵌めによる前記ステータコアの変形分相当を前記真円形状に加味した形状である請求項１に記載の電動モータ。
【請求項３】
前記ハウジングの内周面には複数の支持突部が周方向に間隔を置いて設けられており、前記各支持突部が前記ステータコアの外周面に当接されている請求項１及び請求項２のいずれか１項に記載の電動モータ。
【請求項４】
前記支持突部は、少なくとも３つである請求項３に記載の電動モータ。
【請求項５】
前記環状のステータコアの焼き嵌め前の形状は、楕円筒であり、前記支持突部は、４つであり、隣り合う第１対の支持突部の間の間隔と、残りの第２対の支持突部の間の間隔とは、第１対の一方の支持突部に隣り合う第２対のうちの支持突部と、前記第１対の一方の支持突部との間隔よりも小さく、且つ第１対の他方の支持突部に隣り合う第２対のうちの支持突部と、前記第１対の他方の支持突部との間隔よりも小さく、前記楕円筒の長軸は、前記第１対の支持突部の間と、前記第２対の支持突部の間とを通っている請求項４に記載の電動モータ。
【請求項６】
前記ステータコアの外周面には複数の被支持突部が周方向に間隔を置いて設けられており、前記各被支持突部が前記ハウジングの内周面に当接されている請求項１及び請求項２のいずれか１項に記載の電動モータ。
【請求項７】
前記被支持突部は、少なくとも３つである請求項６に記載の電動モータ。
【請求項８】
前記環状のステータコアの焼き嵌め前の形状は、楕円筒であり、前記被支持突部は、４つであり、隣り合う第１対の被支持突部の間の間隔と、残りの第２対の被支持突部の間の間隔とは、第１対の一方の被支持突部に隣り合う第２対のうちの被支持突部と、前記第１対の一方の被支持突部との間隔よりも小さく、且つ第１対の他方の被支持突部に隣り合う第２対のうちの被支持突部と、前記第１対の他方の被支持突部との間隔よりも小さく、前記楕円筒の長軸は、前記第１対の被支持突部の間と、前記第２対の被支持突部の間とを通っている請求項７に記載の電動モータ。
【請求項９】
電動モータによって駆動される回転軸の回転に基づく圧縮動作体の圧縮動作によって圧縮室内のガスを圧縮して吐出する電動圧縮機において、
請求項１乃至請求項８のいずれか１項に記載の電動モータを用いた電動圧縮機。
【発明の詳細な説明】
【技術分野】
【０００１】
本発明は、電動モータ及び電動圧縮機に関する。
【背景技術】
【０００２】
電動モータに用いられるステータコアを容器（ハウジング）内に収容するため、例えば、ステータコアが容器内に焼き嵌めて収容される（例えば特許文献１を参照）。特許文献１では、ステータコアを容器内に安定的に収容するため、アルミニウム系の材質で構成された容器の内径と、締め代との間に特定の関係が設定されている。
【０００３】
しかし、容器の内周の全周とステータコアの外周の全周とを均等に接合させることは非常に困難である。そのため、例えば特許文献２に開示のように、容器の内周の周方向の複数箇所に圧接保持部を設け、複数の圧接保持部をステータコアの外周に当接させることによってステータコアを保持することが好ましい。
【特許文献１】特開２００５−２１４１６０号公報
【特許文献２】特開２００５−１２７１５２号公報
【発明の開示】
【発明が解決しようとする課題】
【０００４】
しかし、特許文献２の図１に開示のように、ステータコアの外周に当接する複数の圧接保持部の間の間隔が均等でない場合がある。このような場合には、焼き嵌め後のステータコアの形状が不均等に変形し易く、ステータコアの内周（ロータの外周面に対向するティースの突端面）が真円からずれる可能性が大きい。ステータコアの内周が真円からずれてしまうと、ステータコアの内周とロータの外周面との間の間隔がロータの外周の全周にわたって均一にならず、回転する電動モータのハウジングの振動が大きくなってしまう。
【０００５】
本発明は、ステータコアの内周（ロータの外周面に対向するティースの突端面）とロータの外周面との間の間隔の均一性を向上することを目的とする。
【課題を解決するための手段】
【０００６】
本発明は、環状のステータコアが環状のハウジング内に焼き嵌めて収容されており、前記ハウジングの内周の全周の一部と前記ステータコアの外周の全周の一部とを当接させることによって前記ステータコアが前記ハウジングに支持されている電動モータを対象とし、請求項１の発明は、前記環状のステータコアの焼き嵌め前の形状は、前記ステータコアの内周形状が焼き嵌めによる変形によって焼き嵌め後に真円形状に近づく形状であることを特徴とする。
【０００７】
焼き嵌め後のステータコアの内周形状が真円形状に近づき、ステータコアの内周（ロータの外周面に対向する全ティースの突端面）とロータの外周面との間の間隔の均一性が向上する。
【０００８】
好適な例では、前記環状のステータコアの焼き嵌め前の形状は、焼き嵌め後の前記ステータコアの内周形状を真円形状に近づけるように、前記焼き嵌めによる前記ステータコアの変形分相当を前記真円形状に加味した形状である。
【０００９】
ステータコアの焼き嵌め前の形状は、予め計測された焼き嵌めによるステータコアの変形分相当を前記真円形状に加味した形状である。焼き嵌め前のステータコアに対して真円形状に加味されている前記変形分相当は、焼き嵌めによって吸収され、焼き嵌め後のステータコアの内周形状が真円形状に近づく。
【００１０】
好適な例では、前記ハウジングの内周には複数の支持突部が周方向に間隔を置いて設けられており、前記各支持突部が前記ステータコアの外周に当接されている。又、好適な例では、前記ステータコアの外周には複数の被支持突部が周方向に間隔を置いて設けられており、前記各被支持突部が前記ハウジングの内周面に当接されている。
【００１１】
隣り合う支持突部の間の間隔又は隣り合う被支持突部の間の間隔が大きい場合には、焼き嵌め後のステータコアの内周形状が変形し易いが、予め計測された焼き嵌めによるステータコアの変形分相当を前記真円形状に加味した形状のステータコアでは、焼き嵌め後のステータコアの内周形状が真円形状に近づく。
【００１２】
好適な例では、前記支持突部又は被支持突部は、少なくとも３つである。
ハウジング内におけるステータコアの位置決めが容易となる。又、ステータコアを３箇所で支持する構成では、ステータコアの支持が最も安定する。
【００１３】
好適な例では、前記環状のステータコアの焼き嵌め前の形状は、楕円筒であり、前記支持突部は、４つであり、隣り合う第１対の支持突部の間の間隔と、残りの第２対の支持突部の間の間隔とは、第１対の一方の支持突部に隣り合う第２対のうちの支持突部と、前記第１対の一方の支持突部との間隔よりも小さく、且つ第１対の他方の支持突部に隣り合う第２対のうちの支持突部と、前記第１対の他方の支持突部との間隔よりも小さく、前記楕円筒の長軸は、前記第１対の支持突部の間と、前記第２対の支持突部の間とを通っている。又、好適な例では、前記環状のステータコアの焼き嵌め前の形状は、楕円筒であり、前記被支持突部は、４つであり、隣り合う第１対の被支持突部の間の間隔と、残りの第２対の被支持突部の間の間隔とは、第１対の一方の被支持突部に隣り合う第２対のうちの被支持突部と、前記第１対の一方の被支持突部との間隔よりも小さく、且つ第１対の他方の被支持突部に隣り合う第２対のうちの被支持突部と、前記第１対の他方の被支持突部との間隔よりも小さく、前記楕円筒の長軸は、前記第１対の被支持突部の間と、前記第２対の被支持突部の間とを通っている。
【００１４】
楕円筒は、前記した間隔の関係を持ってステータコアを４箇所で支持する構成では、焼き嵌め前のステータコアの形状として簡便である。
請求項９の発明は、電動モータによって駆動される回転軸の回転に基づく圧縮動作体の圧縮動作によって圧縮室内のガスを圧縮して吐出する電動圧縮機を対象とし、請求項１乃至請求項８のいずれか１項に記載の電動モータを用いたことを特徴とする。
【００１５】
高周波数の騒音を低減できる本発明の電動モータは、圧縮機の駆動源として好適である。
【発明の効果】
【００１６】
本発明は、ステータコアの内周（ロータの外周面に対向するティースの突端面）とロータの外周面との間の間隔の均一性を向上できるという優れた効果を奏する。
【発明を実施するための最良の形態】
【００１７】
以下、本発明を具体化した第１の実施形態を図１〜図３に基づいて説明する。
図１に示すように、スクロール型の電動圧縮機１０を構成する圧縮動作体としての可動スクロール１１は、電動モータ２６を構成する回転軸１２の回転によって旋回し、可動スクロール１１と固定スクロール１３との間の圧縮室１４が容積減少する。外部冷媒回路１５からモータハウジング１６内へ導入された冷媒は、吸入ポート１７を経由して圧縮室１４へ吸入される。圧縮室１４内の冷媒は、吐出ポート１９から吐出弁２０を押し退けて吐出室２１へ吐出される。吐出室２１内の冷媒は、外部冷媒回路１５へ流出してモータハウジング１６内へ還流する。
【００１８】
外部冷媒回路１５上には、冷媒から熱を奪うための熱交換器２３、膨張弁２４、及び周囲の熱を冷媒に移すための熱交換器２５が介在されている。
モータハウジング１６内にて回転軸１２にはロータ２７が設けられており、モータハウジング１６の内周面１６０にはステータ２８が設けられている。ロータ２７は、回転軸１２に止着されたロータコア２７１と、ロータコア２７１の周面に設けられた複数の永久磁石２７２とからなる。ロータコア２７１の周方向に隣り合う永久磁石２７２同士は、ステータ２８に対向する側の磁極が異なるようにしてある。
【００１９】
図２（ａ）に示すように、ステータ２８は、環状のステータコア２９と、ステータコア２９に巻き付けられたコイル３０とからなる。ステータコア２９の内周側には複数のティース２９０が等ピッチで配列されている。ロータ２７の外周面に対向するティース２９０の突端面２９４は、ロータ２７の回転中心軸線Ｃと同心の円弧面である。ロータ２７は、コイル３０への通電によって回転し、回転軸１２及び可動スクロール１１は、ロータ２７と一体的に回転する。コイル３０への通電は、インバータ（図示略）のスイッチングによって行われる。ロータ２７とステータ２８とは、電動モータ２６を構成する。
【００２０】
図１に示すように、ステータコア２９は、金属製の磁性体からなる複数枚のコア板３１を積層して構成されている。
図２（ａ）に示すように、モータハウジング１６の内周面１６０には複数の支持突部３２，３３，３４，３５（本実施形態では４つ）が一体形成されている。モータハウジング１６の内周面１６０は、円周面形状であり、支持突部３２，３３，３４，３５は、ステータコア２９の円周面形状の外周面２９１に対してステータコア２９の厚み（回転中心軸線Ｃの方向の厚み）全体にわたって当接されている。つまり、環状のステータコア２９は、その外周側にて複数箇所（本実施形態では４箇所）で支持突部３２，３３，３４，３５によって支持されている。つまり、ステータコア２９は、モータハウジング１６の内周の全周の一部と、ステータコア２９の外周の全周の一部とを接触させることによって、モータハウジング１６に支持されている。モータハウジング１６は、ステータコア２９を支持するハウジングである。
【００２１】
支持突部３２，３３，３４，３５の突端面３２１，３３１，３４１，３５１は、平面に形成されている。突端面３２１，３３１，３４１，３５１は、ステータコア２９の外周面２９１に対して、突端面３２１，３３１，３４１，３５１の幅中心３２２，３３２，３４２，３５２で接触している。幅中心３２２，３３２，３４２，３５２は、ロータ２７の回転中心軸線Ｃに中心を有する円上にある。
【００２２】
ステータコア２９は、焼き嵌めによってモータハウジング１６の内側に嵌合して固定されている。つまり、モータハウジング１６が加熱膨張された後にモータハウジング１６内にステータコア２９を入れられ、ステータコア２９がモータハウジング１６の常温への移行に伴う収縮によってステータコア２９内で固定される。
【００２３】
回転中心軸線Ｃを中心とした支持突部３２の幅中心３２２と支持突部３３の幅中心３３２との角度間隔θ１は、回転中心軸線Ｃを中心とした支持突部３４の幅中心３４２と支持突部３５の幅中心３５２との角度間隔に等しい。又、回転中心軸線Ｃを中心とした支持突部３２の幅中心３２２と支持突部３５の幅中心３５２との角度間隔θ２は、回転中心軸線Ｃを中心とした支持突部３３の幅中心３３２と支持突部３４の幅中心３４２との角度間隔に等しい。そして、幅中心３２２と幅中心３３２との角度間隔θ１は、幅中心３２２と幅中心３５２との角度間隔θ２よりも小さくしてある。つまり、角度間隔θ１，θ２は、θ１＜９０°＜θ２の関係にある。
【００２４】
つまり、隣り合う支持突部３２，３３の間の間隔と、隣り合う支持突部３４，３５の間の間隔とは、支持突部３２に隣り合う支持突部３５と支持突部３２との間の間隔よりも小さく、且つ支持突部３３に隣り合う支持突部３４と支持突部３３との間の間隔よりも小さい。以下、支持突部３２，３３を第１対の支持突部３２，３３と言うこともあり、支持突部３４，３５を第２対の支持突部３４，３５と言うこともある。隣り合う第１対の支持突部３２，３３の間の間隔と、残りの第２対の支持突部３４，３５の間の間隔とは、第１対の支持突部３２，３３の一方の支持突部３２に隣り合う第２対の支持突部３４，３５のうちの支持突部３５と、第１対の支持突部３２，３３の一方の支持突部３２との間隔よりも小さい。又、隣り合う第１対の支持突部３２，３３の間の間隔と、残りの第２対の支持突部３４，３５の間の間隔とは、第１対の支持突部３２，３３の他方の支持突部３３に隣り合う第２対の支持突部３４，３５のうちの支持突部３４と、第１対の支持突部３２，３３の他方の支持突部３３との間隔よりも小さい。
【００２５】
支持突部３２，３５の間における角度間隔θ２を９０°よりも大きくしたのは、支持突部３２，３５の間に対応するモータハウジング１６の部位に、図示しないインバータを設けると共に、前記部位の内周側に前記インバータを冷却するための冷却装置を設けるための、場所を確保するためである。支持突部３３，３４の間における角度間隔θ２を支持突部３２，３５の間における角度間隔θ２に合わせると共に、支持突部３２，３３の間における角度間隔θ１と支持突部３４，３５の間における角度間隔θ１とを合わせたのは、支持突部３２，３３，３４，３５の配置に関する上下及び左右の対称性を与えるためである。
【００２６】
図２（ｂ）は、焼き嵌め前のステータコア２９の外周形状と、焼き嵌め後のステータコア２９の外周形状との関係、及び焼き嵌め前のステータコア２９の内周形状と、焼き嵌め後のステータコア２９の内周形状との関係を示す簡略図である。図２（ｂ）に実線で示す環状線２９２は、焼き嵌め前のステータコア２９の外周面の断面形状を示し、実線で示す環状線２９３は、焼き嵌め前の全ティース２９０の突端面２９４に重なる環状線を示す。環状線２９２及び環状線２９３は、幅中心３２２，３３２の間の中間位置と、幅中心３４２，３５２の間の中間位置とを通る長軸Ｌ１を有する楕円形状である。つまり、焼き嵌め前のステータコア２９の形状は、楕円筒形状である。鎖線で示す環状線２９５は、焼き嵌め後のステータコア２９の外周面の断面形を示し、鎖線で示す環状線２９６は、焼き嵌め後の全ティース２９０の突端面２９４に重なる環状線を示す。環状線２９６は、焼き嵌め後のステータコア２９の内周形状を示す。
【００２７】
なお、環状線２９２と環状線２９５とのずれは、誇張して示してあり、環状線２９３と環状線２９６とのずれは、誇張して示してある。最も大きくずれた所のずれ量は、数十μｍ〜数百μｍ程度である。
【００２８】
斜線で示す領域Ｒ１１，Ｒ２１，Ｒ３１，Ｒ４１は、焼き嵌めによるステータコア２９の外周面２９１の変形分相当の領域である。領域Ｒ１２，Ｒ２２，Ｒ３２，Ｒ４２は、焼き嵌めによるステータコア２９の内周（ロータ２７の外周面に対向する全ティース２９０の突端面２９４を結んだ環状線２９３）の変形分相当の領域である。つまり、ステータコア２９の焼き嵌め前の形状は、予め計測された焼き嵌めによるステータコア２９の変形分相当を焼き嵌め後のステータコア２９の形状に加味した形状である。つまり、環状のステータコア２９の焼き嵌め前の形状は、ステータコア２９の内周形状が焼き嵌めによる変形によって焼き嵌め後に真円形状に近づく形状である。焼き嵌め後のティース２９０の突端面２９４に重なる環状線２９６は、焼き嵌め前の全ティース２９０の突端面２９４に重なる環状線２９２（楕円）よりも真円に近い。又、焼き嵌め後のステータコア２９の外周面２９１は、焼き嵌め前のステータコア２９の外周面に重なる環状線２９３（楕円）よりも真円に近い。
【００２９】
第１の実施形態では以下の効果が得られる。
（１）焼き嵌め後のティース２９０の突端面２９４は、焼き嵌め前の全ティース２９０の突端面２９４に重なる環状線２９３よりも真円に近い環状線２９６に重なるようにしてある。つまり、環状のステータコア２９の焼き嵌め前の形状は、焼き嵌め後のステータコア２９の内周形状（全ティース２９０の突端面２９４に重なる環状線２９６で示す形状）を真円形状に近づけるように、焼き嵌めによるステータコア２９の変形分相当を前記真円形状に加味した形状である。従って、焼き嵌め前のステータコア２９に対して真円形状に対して加味されている前記変形分相当は、焼き嵌めによって吸収され、焼き嵌め後のステータコア２９の内周形状が真円形状に近づく。つまり、焼き嵌め前の全ティース２９０の突端面２９４に重なる環状線２９３を楕円にした場合には、焼き嵌め後のティース２９０の突端面２９４に重なる環状線２９６は、焼き嵌め前の全ティース２９０の突端面２９４に重なる環状線２９３を真円して焼き嵌めた場合よりも、真円に近くなる。その結果、ステータコア２９の内周（全ティース２９０の突端面２９４）とロータコア２７１の外周面との間の間隔の均一性が向上する。
【００３０】
（２）図３（ｂ）のグラフは、焼き嵌め前のステータコア２９の外周形状及び内周形状を楕円形状とした本実施形態の電動モータ２６の回転数と、電動モータ２６のモータハウジング１６の振動の周波数と、電動モータ２６のモータハウジング１６の加速度との関係を表した実験データである。図３（ｂ）のグラフにおけるＸ軸は、電動モータ２６のモータハウジング１６が発する振動の周波数を表す。図３（ｂ）のグラフにおけるＹ軸は、電動モータ２６の回転数を表し、図３（ｂ）のグラフにおけるＺ軸は、電動モータ２６のモータハウジング１６の加速度を表す。Ｚ軸の起点Ｚｏは、加速度零を表す。図３（ｂ）のグラフにおける波形の高さ（例として符合Ｑ２１，Ｑ２２で図示）は、電動モータ２６のモータハウジング１６の加速度の大きさを概略的に表している。
【００３１】
図３（ａ）のグラフは、焼き嵌め前の外周形状及び内周形状が真円となっているステータコア（仮に、ステータコア２９Ａと記す）を用いた電動モータ（仮に、電動モータ２６Ａと記す）の回転数と、電動モータ２６Ａのモータハウジング１６の振動の周波数と、電動モータ２６Ａのモータハウジング１６の加速度との関係を表した実験データである。図３（ａ）のグラフにおけるＸ軸は、電動モータ２６Ａのモータハウジング１６が発する振動の周波数を表す。図３（ａ）のグラフにおけるＹ軸は、電動モータ２６Ａの電動モータ２６の回転数を表し、図３（ａ）のグラフにおけるＺ軸は、電動モータ２６Ａのモータハウジング１６の加速度を表す。Ｚ軸の起点Ｚｏは、加速度零を表す。図３（ａ）のグラフにおける波形の高さ（例として符合Ｑ１１，Ｑ１２で図示）は、電動モータ２６Ａのモータハウジング１６の加速度の大きさを概略的に表している。
【００３２】
図３（ａ），（ｂ）のグラフを比較すれば明らかなように、電動モータ２６Ａに比べて、電動モータ２６におけるモータハウジング１６が発する振動が小さい。
（３）内周面１６０に４つの支持突部３２，３３，３４，３５を有するモータハウジング１６内に、焼き嵌め前に外周面２９１が真円となっているステータコア２９Ａを焼き嵌め固定したとする。図２（ｃ）に実線で示す環状線２９２Ａは、焼き嵌め前のステータコア２９Ａの外周面の断面形状を示し、実線で示す環状線２９３Ａは、焼き嵌め前の全ティース２９０の突端面２９４に重なる環状線を示す。環状線２９２Ａ，２９３Ａは、同心の円形状である。
【００３３】
そうすると、焼き嵌め後では、支持突部３２と支持突部３３との間に対応するステータコア２９Ａの部位、及び支持突部３４と支持突部３５との間に対応するステータコア２９Ａの部位が半径方向の内側へ退くように変形し、支持突部３２と支持突部３５との間に対応するステータコア２９Ａの部位、及び支持突部３３と支持突部３４との間に対応するステータコア２９Ａの部位が半径方向の外側へ張り出すように変形する。
【００３４】
図２（ｃ）は、焼き嵌め前のステータコア２９Ａの外周形状と、焼き嵌め後のステータコア２９Ａの外周形状との関係、及び焼き嵌め前のステータコア２９Ａの内周形状と、焼き嵌め後のステータコア２９Ａの内周形状との関係を示す簡略図である。図２（ｃ）に鎖線で示す環状線２９５Ａは、焼き嵌め後のステータコア２９Ａの外周面の断面形を示し、鎖線で示す環状線２９６Ａは、焼き嵌め後の全ティース２９０の突端面２９４に重なる環状線を示す。環状線２９５Ａ及び環状線２９６Ａは、幅中心３２２，３５２の間の中間位置と、幅中心３３２，３４２の間の中間位置とを通る長軸Ｌ２を有する楕円形状である。つまり、焼き嵌め後のステータコア２９Ａの形状は、楕円筒形状である。
【００３５】
なお、環状線２９２Ａと環状線２９５Ａとのずれは、誇張して示してあり、環状線２９３Ａと環状線２９６Ａとのずれは、誇張して示してある。最も大きくずれた所のずれ量は、数十μｍ〜数百μｍ程度である。
【００３６】
つまり、外周面２９１が真円となっているステータコアを焼き嵌め固定した場合には、ステータコアの外周面が真円形状から略楕円形状へと変形する。この場合の楕円は、幅中心３３２，３４２の間の中間位置と、幅中心３５２，３２２との間の中間位置とを通る長軸Ｌ２を有する。
【００３７】
本実施形態では、焼き嵌め前のステータコア２９の外周面の断面形状（環状線２９２で示す形状）、及びステータコア２９の内周形状（全ティース２９０の突端面２９４に重なる環状線２９３で示す形状）は、幅中心３３２，３４２の間の中間位置と、幅中心３５２，３２２の間の中間位置とを通る方向に対して直交する長軸Ｌ１を有する楕円の形状にしてある。つまり、焼き嵌め前のステータコア２９の形状は、幅中心３２２，３３２の間の中間位置と、幅中心３４２，３５２の間の中間位置とを通る長軸Ｌ１を有する楕円筒形状である。このような楕円筒形状の採用により、焼き嵌め後には、楕円の長軸方向が縮むと共に、楕円の短軸方向が伸び、焼き嵌め後のステータコア２９の真円度が高くなる。角度間隔θ２，θ２の関係を持って内周面１６０に４つの支持突部３２，３３，３４，３５を設けたモータハウジング１６内にステータコアを焼き嵌め固定する構成では、環状のステータコア２９の焼き嵌め前の形状は、楕円筒が簡便である。
【００３８】
（４）高周波数の振動による騒音を低減できる本発明の電動モータ２６は、圧縮機の駆動源として好適である。
次に、第２の実施形態を図４に基づいて説明する。第１の実施形態と同じ構成部には同じ符合が用いてある。
【００３９】
図４（ａ）に示すように、モータハウジング１６の内周面１６０には３つの支持突部３６，３７，３８が一体形成されている。各支持突部３６，３７，３８の突端面３６１，３７１，３８１は、平面であり、各突端面３６１，３７１，３８１の幅中心３６２，３７２，３８２は、ロータ２７の回転中心軸線Ｃを中心にして、等角度間隔（１２０°間隔）の位置に設けられている。ステータコア２９は、その外周側にて３つの支持突部３６，３７，３８によって支持されている。
【００４０】
図４（ｂ）に実線で示す環状線２９２Ｂは、焼き嵌め前のステータコア２９の外周面の断面形状を示し、実線で示す環状線２９３Ｂは、焼き嵌め前の全ティース２９０の突端面２９４に重なる環状線を示す。鎖線で示す環状線２９５Ｂは、焼き嵌め後のステータコア２９の外周面の断面形を示し、鎖線で示す環状線２９６Ｂは、焼き嵌め後の全ティース２９０の突端面２９４に重なる環状線を示す。環状線２９６Ｂは、焼き嵌め後のステータコア２９の内周形状を示す。
【００４１】
斜線で示す領域Ｒｂ１１，Ｒｂ２１，Ｒｂ３１，Ｒｂ４１，Ｒｂ５１，Ｒｂ６１は、焼き嵌めによるステータコア２９の外周面２９１の変形分相当の領域であり、Ｒｂ１２，Ｒｂ２２，Ｒｂ３２，Ｒｂ４２，Ｒｂ５２，Ｒｂ６２は、焼き嵌めによるステータコア２９の内周の変形分相当の領域である。つまり、ステータコア２９の焼き嵌め前の形状は、焼き嵌め後のステータコア２９の内周形状を真円形状に近づけるように、予め計測された焼き嵌めによるステータコア２９の変形分相当を焼き嵌め後のステータコア２９の形状に加味した形状である。
【００４２】
第２の実施形態では、第１の実施形態における（１）項と同様の効果が得られる。又、ステータコア２９を３箇所で支持する構成では、ステータコア２９を最も安定して支持することができる。
【００４３】
次に、第３の実施形態を図５に基づいて説明する。第１の実施形態と同じ構成部には同じ符合が用いてある。
図５（ａ）に示すように、モータハウジング１６の内周面１６０には２つの支持突部３９，４０が一体形成されている。各支持突部３９，４０の突端面３９１，４０１は、平面であり、各突端面３９１，４０１の幅中心３９２，４０２は、ロータ２７の回転中心軸線Ｃを中心にして、等角度間隔（１８０°間隔）の位置に設けられている。ステータコア２９は、その外周側にて２つの支持突部３９，４０によって支持されている。
【００４４】
図５（ｂ）に実線で示す環状線２９２Ｃは、焼き嵌め前のステータコア２９の外周面の断面形状を示し、実線で示す環状線２９３Ｃは、焼き嵌め前の全ティース２９０の突端面２９４に重なる環状線を示す。鎖線で示す環状線２９５Ｃは、焼き嵌め後のステータコア２９の外周面の断面形を示し、鎖線で示す環状線２９６Ｃは、焼き嵌め後の全ティース２９０の突端面２９４に重なる環状線を示す。環状線２９６Ｃは、焼き嵌め後のステータコア２９の内周形状を示す。
【００４５】
斜線で示す領域Ｒｃ１１，Ｒｃ２１，Ｒｃ３１，Ｒｃ４１は、焼き嵌めによるステータコア２９の外周面２９１の変形分相当の領域であり、Ｒｃ１２，Ｒｃ２２，Ｒｃ３２，Ｒｃ４２は、焼き嵌めによるステータコア２９の内周の変形分相当の領域である。つまり、ステータコア２９の焼き嵌め前の形状は、焼き嵌め後のステータコア２９の内周形状を真円形状に近づけるように、予め計測された焼き嵌めによるステータコア２９の変形分相当を焼き嵌め後のステータコア２９の形状に加味した形状である。
【００４６】
第３の実施形態では、第１の実施形態における（１）項と同様の効果が得られる。
次に、第４の実施形態を図６に基づいて説明する。第１の実施形態と同じ構成部には同じ符合が用いてある。
【００４７】
図６（ａ）に示すように、ステータコア２９Ｄの外周面２９１には４つの被支持突部４１，４２，４３，４４が一体形成されている。被支持突部４１，４２，４３，４４の突端面４１１，４２１，４３１，４４１は、モータハウジング１６の内周面１６０の曲率よりも大きい曲率の円弧面に形成されており、突端面４１１，４２１，４３１，４４１の幅中心４１２，４２２，４３２，４４２は、モータハウジング１６の内周面１６０に接触している。つまり、ステータコア２９Ｄは、その外周側にて４箇所でモータハウジング１６側の接触部位１６１，１６２，１６３，１６４によって支持されている。つまり、ステータコア２９Ｄは、モータハウジング１６の内周の全周の一部と、ステータコア２９Ｄの外周の全周の一部とを接触させることによって、モータハウジング１６に支持されている。
【００４８】
各突端面４１１，４２１，４３１，４４１の幅中心４１２，４２２，４３２，４４２は、第１の実施形態における幅中心３２２，３３２，３４２，３５２の場合と同じ配置にしてある。つまり、隣り合う被支持突部４１，４２の間の間隔と、隣り合う被支持突部４３，４４の間の間隔とは、被支持突部４１に隣り合う被支持突部４４と被支持突部４１との間の間隔よりも小さく、且つ被支持突部４２に隣り合う被支持突部４３と被支持突部４２との間の間隔よりも小さい。以下、被支持突部４１，４２を第１対の被支持突部４１，４２と言うこともあり、被支持突部４３，４４を第２対の被支持突部４３，４４と言うこともある。隣り合う第１対の被支持突部４１，４２の間の間隔と、残りの第２対の被支持突部４３，４４の間の間隔とは、第１対の被支持突部４１，４２の一方の被支持突部４１に隣り合う第２対の被支持突部４３，４４のうちの被支持突部４４と、第１対の被支持突部４１，４２の一方の被支持突部４１との間隔よりも小さい。又、隣り合う第１対の被支持突部４１，４２の間の間隔と、残りの第２対の被支持突部４３，４４の間の間隔とは、第１対の被支持突部４１，４２の他方の被支持突部４２に隣り合う第２対の被支持突部４３，４４のうちの被支持突部４３と、第１対の被支持突部４１，４２の他方の被支持突部４２との間隔よりも小さい。
【００４９】
図６（ｂ）に実線で示す環状線２９２Ｄは、焼き嵌め前のステータコア２９Ｄの外周面の断面形状を示し、実線で示す環状線２９３Ｄは、焼き嵌め前の全ティース２９０の突端面２９４に重なる環状線を示す。鎖線で示す環状線２９５Ｄは、焼き嵌め後のステータコア２９Ｄの外周面の断面形を示し、鎖線で示す環状線２９６Ｄは、焼き嵌め後の全ティース２９０の突端面２９４に重なる環状線を示す。環状線２９６Ｄは、焼き嵌め後のステータコア２９Ｄの内周形状を示す。
【００５０】
斜線で示す領域Ｒｄ１１，Ｒｄ２１，Ｒｄ３１，Ｒｄ４１は、焼き嵌めによるステータコア２９Ｄの外周面２９１の変形分相当の領域であり、Ｒｄ１２，Ｒｄ２２，Ｒｄ３２，Ｒｄ４２は、焼き嵌めによるステータコア２９Ｄの内周の変形分相当の領域である。つまり、ステータコア２９Ｄの焼き嵌め前の形状は、焼き嵌め後のステータコア２９Ｄの内周形状を真円形状に近づけるように、予め計測された焼き嵌めによるステータコア２９Ｄの変形分相当を焼き嵌め後のステータコア２９Ｄの形状に加味した形状である。
【００５１】
第４の実施形態では、第１の実施形態における（１），（３）項と同様の効果が得られる。
次に、第５の実施形態を図７に基づいて説明する。第４の実施形態と同じ構成部には同じ符合が用いてある。
【００５２】
図７（ａ）に示すように、ステータコア２９Ｅの外周面２９１には３つの被支持突部４５，４６，４７が一体形成されている。被支持突部４５，４６，４７の突端面４５１，４６１，４７１は、モータハウジング１６の内周面１６０の曲率よりも大きい曲率の円弧面に形成されており、突端面４５１，４６１，４７１の幅中心４５２，４６２，４７２は、モータハウジング１６の内周面１６０に接触している。つまり、ステータコア２９Ｅは、その外周側にて３箇所でモータハウジング１６側の接触部位１６５，１６６，１６７によって支持されている。各突端面４５１，４６１，４７１の幅中心４５２，４６２，４７２は、第２の実施形態における幅中心３６２，３７２，３８２の場合と同じ配置にしてある。
【００５３】
図７（ｂ）に実線で示す環状線２９２Ｅは、焼き嵌め前のステータコア２９Ｅの外周面の断面形状を示し、実線で示す環状線２９３Ｅは、焼き嵌め前の全ティース２９０の突端面２９４に重なる環状線を示す。鎖線で示す環状線２９５Ｅは、焼き嵌め後のステータコア２９Ｅの外周面の断面形を示し、鎖線で示す環状線２９６Ｅは、焼き嵌め後の全ティース２９０の突端面２９４に重なる環状線を示す。環状線２９６Ｅは、焼き嵌め後のステータコア２９Ｅの内周形状を示す。
【００５４】
斜線で示す領域Ｒｅ１１，Ｒｅ２１，Ｒｅ３１，Ｒｅ４１，Ｒｅ５１，Ｒｅ６１は、焼き嵌めによるステータコア２９Ｅの外周面２９１の変形分相当の領域であり、Ｒｅ１２，Ｒｅ２２，Ｒｅ３２，Ｒｅ４２，Ｒｅ５２，Ｒｅ６２は、焼き嵌めによるステータコア２９Ｅの内周の変形分相当の領域である。つまり、ステータコア２９Ｅの焼き嵌め前の形状は、焼き嵌め後のステータコア２９Ｅの内周形状を真円形状に近づけるように、予め計測された焼き嵌めによるステータコア２９Ｅの変形分相当を焼き嵌め後のステータコア２９Ｅの形状に加味した形状である。
【００５５】
第５の実施形態では、第２の実施形態と同様の効果が得られる。
次に、第６の実施形態を図８に基づいて説明する。第４の実施形態と同じ構成部には同じ符合が用いてある。
【００５６】
図８（ａ）に示すように、ステータコア２９Ｆの外周面２９１には２つの被支持突部４８，４９が一体形成されている。被支持突部４８，４９の突端面４８１，４９１は、モータハウジング１６の内周面１６０の曲率よりも大きい曲率の円弧面に形成されており、突端面４８１，４９１の幅中心４８２，４９２は、モータハウジング１６の内周面１６０に接触している。つまり、ステータコア２９Ｆは、その外周側にて２箇所でモータハウジング１６側の接触部位１６８，１６９によって支持されている。各突端面４８１，４９１の幅中心４８２，４９２は、第３の実施形態における幅中心３９２，４０２の場合と同じ配置にしてある。
【００５７】
図８（ｂ）に実線で示す環状線２９２Ｆは、焼き嵌め前のステータコア２９Ｆの外周面の断面形状を示し、実線で示す環状線２９３Ｆは、焼き嵌め前の全ティース２９０の突端面２９４に重なる環状線を示す。鎖線で示す環状線２９５Ｆは、焼き嵌め後のステータコア２９Ｆの外周面の断面形を示し、鎖線で示す環状線２９６Ｆは、焼き嵌め後の全ティース２９０の突端面２９４に重なる環状線を示す。環状線２９６Ｆは、焼き嵌め後のステータコア２９Ｆの内周形状を示す。
【００５８】
斜線で示す領域Ｒｆ１１，Ｒｆ２１，Ｒｆ３１，Ｒｆ４１は、焼き嵌めによるステータコア２９Ｆの外周面２９１の変形分相当の領域であり、Ｒｆ１２，Ｒｆ２２，Ｒｆ３２，Ｒｆ４２は、焼き嵌めによるステータコア２９Ｆの内周の変形分相当の領域である。つまり、ステータコア２９Ｆの焼き嵌め前の形状は、焼き嵌め後のステータコア２９Ｆの内周形状を真円形状に近づけるように、予め計測された焼き嵌めによるステータコア２９Ｆの変形分相当を焼き嵌め後のステータコア２９Ｆの形状に加味した形状である。
【００５９】
第６の実施形態では、第１の実施形態における（１）項と同様の効果が得られる。
本発明では以下のような実施形態も可能である。
（１）モータハウジングの内周面に形成される支持突部の個数を５個以上としてもよい。
【００６０】
（２）ステータコアの外周面に形成される被支持突部の個数を５個以上としてもよい。
（３）ハウジングに設けられた支持突部をステータコアの外周面に接触させる構成において、ステータコアの外周面を円周面以外の形状の周面にしてもよい。
【００６１】
（４）ハウジングに設けられた支持突部をステータコアの外周面に接触させる構成において、ハウジングの内周面を円周面以外の形状の周面にしてもよい。
（５）支持突部の突端面の形状をステータコアの外周面に面接触する形状としてもよい。
【００６２】
（６）被支持突部の突端面の形状をハウジングの内周面に面接触する形状としてもよい。
（７）回転軸に連結されたロータコアにコイルを巻いた電動モータに本発明を適用してもよい。
【００６３】
（８）ピストン式の電動圧縮機に本発明を適用してもよい。この場合、ピストンが圧縮動作体になる。
【図面の簡単な説明】
【００６４】
【図１】第１の実施形態を示す圧縮機の側断面図。
【図２】（ａ）は、モータハウジング及びステータコアの断面図。（ｂ）は、焼き嵌め前のステータコア２９の外周形状と、焼き嵌め後のステータコア２９の外周形状との関係、及び焼き嵌め前のステータコア２９の内周形状と、焼き嵌め後のステータコア２９の内周形状との関係を示す簡略図。図２（ｃ）は、焼き嵌め前のステータコア２９Ａの外周形状と、焼き嵌め後のステータコア２９Ａの外周形状との関係、及び焼き嵌め前のステータコア２９Ａの内周形状と、焼き嵌め後のステータコア２９Ａの内周形状との関係を示す簡略図。
【図３】（ａ）は、電動モータ２６Ａの回転数と、モータハウジング１６の加速度と、モータハウジング１６の振動の周波数との関係を表した実験データを示すグラフ。（ｂ）は、電動モータ２６の回転数と、モータハウジング１６の加速度と、モータハウジング１６の振動の周波数との関係を表した実験データのグラフ。
【図４】第２の実施形態を示し、（ａ）は、モータハウジング及びステータコアの断面図。（ｂ）は、焼き嵌め前のステータコア２９の外周形状と、焼き嵌め後のステータコア２９の外周形状との関係、及び焼き嵌め前のステータコア２９の内周形状と、焼き嵌め後のステータコア２９の内周形状との関係を示す簡略図。
【図５】第３の実施形態を示し、（ａ）は、モータハウジング及びステータコアの断面図。（ｂ）は、焼き嵌め前のステータコア２９の外周形状と、焼き嵌め後のステータコア２９の外周形状との関係、及び焼き嵌め前のステータコア２９の内周形状と、焼き嵌め後のステータコア２９の内周形状との関係を示す簡略図。
【図６】第４の実施形態を示し、（ａ）は、モータハウジング及びステータコア２９Ｄの断面図。（ｂ）は、焼き嵌め前のステータコア２９Ｄの外周形状と、焼き嵌め後のステータコア２９Ｄの外周形状との関係、及び焼き嵌め前のステータコア２９Ｄの内周形状と、焼き嵌め後のステータコア２９Ｄの内周形状との関係を示す簡略図。
【図７】第５の実施形態を示し、（ａ）は、モータハウジング及びステータコア２９Ｅの断面図。（ｂ）は、焼き嵌め前のステータコア２９Ｅの外周形状と、焼き嵌め後のステータコア２９Ｅの外周形状との関係、及び焼き嵌め前のステータコア２９Ｅの内周形状と、焼き嵌め後のステータコア２９Ｅの内周形状との関係を示す簡略図。
【図８】第６の実施形態を示し、（ａ）は、モータハウジング及びステータコアの断面図。（ｂ）は、焼き嵌め前のステータコア２９Ｆの外周形状と、焼き嵌め後のステータコア２９Ｆの外周形状との関係、及び焼き嵌め前のステータコア２９Ｆの内周形状と、焼き嵌め後のステータコア２９Ｆの内周形状との関係を示す簡略図。
【符号の説明】
【００６５】
１０…電動圧縮機。１１…圧縮動作体としての可動スクロール。１２…回転軸。１４…圧縮室。１６…ハウジングとしてのモータハウジング。１６０…内周面。２６…電動モータ。２９，２９Ｄ…楕円筒形状のステータコア。２９Ｅ，２９Ｆ…ステータコア。３２，３３，３４，３５，３６，３７，３８，３９，４０…支持突部。２９１…外周面。４１，４２，４３，４４，４５，４６，４７，４８，４９…被支持突部。２９６，２９６Ｂ，２９６Ｃ，２９６Ｄ，２９６Ｅ，２９６Ｆ…焼き嵌め後のステータコアの内周形状を示す環状線。Ｌ１，Ｌ２…長軸。
【図１】
2007244150.tif 000003
【図２】
2007244150.tif 000004
【図３】
2007244150.tif 000005
【図４】
2007244150.tif 000006
【図５】
2007244150.tif 000007
【図６】
2007244150.tif 000008
【図７】
2007244150.tif 000009
【図８】
2007244150.tif 000010